(57)【要約】【課題】  製造不良を低減して製造コストの削減を図る。【解決手段】  取付ベース６と、伝送される信号の種類に応じ取付ベースの予め定められた位置にそれぞれ配置された複数のピンジャック７とを備え、各ピンジャックは、取付ベースに結合される絶縁筒体８と、アース電極１０４とセンターピン１０３を有するピンプラグ１０２のセンターピンが接続され絶縁筒体の内部に収容される接続端子片９と、円筒部１０ａを有しピンプラグのアース電極が接続され絶縁筒体の外周面に結合される接地筒体１０と、ピンプラグのセンターピンが挿入される挿入孔１１ａが形成され絶縁筒体の軸方向における一端部に取り付けられ接地筒体の内部に配置されるカラーリング１１とを備え、各カラーリングは各ピンジャックに伝送される信号の種類に応じて異なる色が付されると共に付された色に応じて各挿入孔の大きさが異なるようにされた。【選択図】        図５
2012150919.tif 000002
【特許請求の範囲】
【請求項１】
取付ベースと、
伝送される信号の種類に応じ前記取付ベースの予め定められた位置にそれぞれ配置された複数のピンジャックとを備え、
前記各ピンジャックは、
前記取付ベースに結合される絶縁筒体と、
アース電極とセンターピンを有するピンプラグの前記センターピンが接続され前記絶縁筒体の内部に収容される接続端子片と、
円筒部を有し前記ピンプラグのアース電極が接続され前記絶縁筒体の外周面に結合される接地筒体と、
前記ピンプラグのセンターピンが挿入される挿入孔が形成され前記絶縁筒体の軸方向における一端部に取り付けられ前記接地筒体の内部に配置されるカラーリングとを備え、
前記各カラーリングは前記各ピンジャックに伝送される信号の種類に応じて異なる色が付されると共に付された色に応じて前記各挿入孔の大きさが異なるようにされた
接続端子ユニット。
【請求項２】
前記挿入孔の大きさがサイズ判別手段によって判別されて前記カラーリングの誤組付が検出されるようにした
請求項１に記載の接続端子ユニット。
【請求項３】
前記サイズ判別手段として基体と前記基体から突出され前記複数のピンジャックの個数と同数の判別ピンとを有するサイズ判別用治具を用い、
隣接する前記判別ピンの中央間の距離が隣接する前記カラーリングの中心間の距離と一致し、
前記各判別ピンは軸方向に垂直な断面の大きさが異なり、
大きさによる前記判別ピンの前記基体に対する配列順序が前記挿入孔の大きさによる前記カラーリングの配列順序と同一であり、
前記各判別ピンの大きさは、同一の配列順序に位置する前記各挿入孔の大きさより小さく、同一の配列順序に位置する前記各挿入孔より小さい前記挿入孔の大きさより大きくされた
請求項２に記載の接続端子ユニット。
【請求項４】
機器本体と、
取付ベースと伝送される信号の種類に応じ前記取付ベースの予め定められた位置にそれぞれ配置された複数のピンジャックとを有すると共に前記機器本体に取り付けられた接続端子ユニットとを備え、
前記各ピンジャックは、
前記取付ベースに結合される絶縁筒体と、
アース電極とセンターピンを有するピンプラグの前記センターピンが接続され前記絶縁筒体の内部に収容される接続端子片と、
円筒部を有し前記ピンプラグのアース電極が接続され前記絶縁筒体の外周面に結合される接地筒体と、
前記ピンプラグのセンターピンが挿入される挿入孔が形成され前記絶縁筒体の軸方向における一端部に取り付けられ前記接地筒体の内部に配置されるカラーリングとを備え、
前記各カラーリングは前記各ピンジャックに伝送される信号の種類に応じて異なる色が付されると共に付された色に応じて前記各挿入孔の大きさが異なるようにされた
電子機器。
【請求項５】
ピンプラグがそれぞれ接続される各ピンジャックに伝送される信号の種類に応じて異なる色が付されると共に付された色に応じて挿入孔の大きさが異なるカラーリングの前記挿入孔の大きさをサイズ判別手段によって判別し、
前記サイズ判別手段による判別結果に基づいて検出された前記カラーリングの配列順序と、伝送される信号の種類に応じて予め定められている前記カラーリングの配列順序とを比較する
カラーリングの誤組付の検出方法。
【発明の詳細な説明】
【技術分野】
【０００１】
本発明は接続端子ユニット、電子機器及びカラーリングの誤組付の検出方法についての技術分野に関する。詳しくは、電子機器に設けられる接続端子ユニットにおける各カラーリングの挿入孔の大きさを各カラーリングに付された色に応じて異なるようにして、カラーリングの誤組付を検出し接続端子ユニットの製造不良を低減する技術分野に関する。
【背景技術】
【０００２】
テレビジョン受像機、ディスクレコーダー等の記録再生装置、ビデオカメラやスチルカメラ等の撮像装置、パーソナルコンピューター等の情報処理装置等の各種の電子機器には、音声・映像用等の入出力端子として接続端子ユニットを備えているものがある。
【０００３】
接続端子ユニットは取付ベースと複数のピンジャックとを備えている。これらのピンジャックには入出力される音声や映像に応じてそれぞれ異なる種類の信号が伝送され、各ピンジャックは伝送される信号の種類に応じて取付ベースの予め定められた位置にそれぞれ配置されている。
【０００４】
これらのピンジャックにはそれぞれピンプラグが接続され、ピンプラグはセンターピンとアース電極を有している。ピンプラグの外周面にはそれぞれ異なる色が付されている。
【０００５】
上記のようなピンジャックは、絶縁筒体と接続端子片と接地筒体とカラーリングを備えている（例えば、特許文献１参照）。絶縁筒体は取付ベースに結合され、接続端子片は絶縁筒体の内部に収容され、接地筒体は絶縁筒体の外周面に結合されている。
【０００６】
カラーリングは使用者が何れのピンプラグを何れのピンジャックに接続するかを判別するために設けられており、カラーリングにはピンジャックに伝送される信号の種類に応じて定められた異なる色が付されている。カラーリングにはピンプラグのセンターピンが挿入される挿入孔が形成されており、カラーリングは一部が外部から視認可能な状態で接地筒体の内部に取り付けられている。各カラーリングは大きさ及び形状が同一であり、挿入孔も大きさ及び形状が同一に形成されている。
【０００７】
例えば、電子機器がコンポジット映像信号用とステレオ音声信号用の接続端子ユニットを備えている場合には、各カラーリングにコンポジット映像信号用、左側音声信号用、右側音声信号用に応じてそれぞれ黄色、白色、赤色と定められた色が付されている。
【０００８】
また、例えば、電子機器がコンポーネント映像信号用の接続端子ユニットを備えている場合には、各カラーリングに輝度信号用（Ｙ）、色差信号用（ＰＢまたはＣＢ）、色差信号用（ＰＲまたはＣＲ）に応じてそれぞれ緑色、青色、赤色と定められた色が付されている。
【０００９】
ピンジャックの大きさ及び形状は伝送される信号の種類によらず同一であるので、カラーリングを外部から視認可能な位置に配置することによりピンジャックに伝送される信号の種類を判別できるようにしている。これにより、同じ色同士のピンジャックとピンプラグを接続することができ、各ピンジャックと各ピンプラグの間の正しい接続関係が確保される。
【先行技術文献】
【特許文献】
【００１０】
【特許文献１】実開平７−１３５０５２号公報
【発明の概要】
【発明が解決しようとする課題】
【００１１】
ところが、上記した接続端子ユニットの製造工程においては、作業者がカラーリングに付された色に応じて予め定められた位置にカラーリングを組み付けるが、定められた色ではない別の色のカラーリングを誤って組み付けるおそれがある。このとき、接続端子ユニットの検査工程においては、各カラーリングが正しい位置に組み付けられたか否かが作業者の目視によって判別されているが、判別ミスが生じた場合にはカラーリングが誤って組み付けられた電子機器が市場に流通してしまう。この場合には、接続端子ユニット及び電子機器の製造不良が生じ、製造コストが増加する。
【００１２】
そこで、本発明は、上記した問題点を克服し、接続端子ユニット及び電子機器の製造不良を低減して製造コストの削減を図ることを課題とする。
【課題を解決するための手段】
【００１３】
接続端子ユニットは、上記した課題を解決するために、取付ベースと、伝送される信号の種類に応じ前記取付ベースの予め定められた位置にそれぞれ配置された複数のピンジャックとを備え、前記各ピンジャックは、前記取付ベースに結合される絶縁筒体と、アース電極とセンターピンを有するピンプラグの前記センターピンが接続され前記絶縁筒体の内部に収容される接続端子片と、円筒部を有し前記ピンプラグのアース電極が接続され前記絶縁筒体の外周面に結合される接地筒体と、前記ピンプラグのセンターピンが挿入される挿入孔が形成され前記絶縁筒体の軸方向における一端部に取り付けられ前記接地筒体の内部に配置されるカラーリングとを備え、前記各カラーリングは前記各ピンジャックに伝送される信号の種類に応じて異なる色が付されると共に付された色に応じて前記各挿入孔の大きさが異なるようにされたものである。
【００１４】
従って、接続端子ユニットにあっては、各カラーリングが、伝送される信号の種類に応じて付された色及び挿入孔の大きさが異なる。
【００１５】
上記した接続端子ユニットにおいては、前記挿入孔の大きさがサイズ判別手段によって判別されて前記カラーリングの誤組付が検出されるようにすることが望ましい。
【００１６】
挿入孔の大きさがサイズ判別手段によって判別されてカラーリングの誤組付が検出されるようにすることにより、挿入孔の大きさによってカラーリングの組付位置が検出される。
【００１７】
上記した接続端子ユニットにおいては、前記サイズ判別手段として基体と前記基体から突出され前記複数のピンジャックの個数と同数の判別ピンとを有するサイズ判別用治具を用い、隣接する前記判別ピンの中央間の距離が隣接する前記カラーリングの中心間の距離と一致し、前記各判別ピンは軸方向に垂直な断面の大きさが異なり、大きさによる前記判別ピンの前記基体に対する配列順序が前記挿入孔の大きさによる前記カラーリングの配列順序と同一であり、前記各判別ピンの大きさは、同一の配列順序に位置する前記各挿入孔の大きさより小さく、同一の配列順序に位置する前記各挿入孔より小さい前記挿入孔の大きさより大きくされることが望ましい。
【００１８】
サイズ判別手段としてサイズ判別用治具を用いることにより、サイズ判別用治具における判別ピンのカラーリングに対する挿入動作によってカラーリングの誤組付が検出される。
【００１９】
電子機器は、上記した課題を解決するために、機器本体と、取付ベースと伝送される信号の種類に応じ前記取付ベースの予め定められた位置にそれぞれ配置された複数のピンジャックとを有すると共に前記機器本体に取り付けられた接続端子ユニットとを備え、前記各ピンジャックは、前記取付ベースに結合される絶縁筒体と、アース電極とセンターピンを有するピンプラグの前記センターピンが接続され前記絶縁筒体の内部に収容される接続端子片と、円筒部を有し前記ピンプラグのアース電極が接続され前記絶縁筒体の外周面に結合される接地筒体と、前記ピンプラグのセンターピンが挿入される挿入孔が形成され前記絶縁筒体の軸方向における一端部に取り付けられ前記接地筒体の内部に配置されるカラーリングとを備え、前記各カラーリングは前記各ピンジャックに伝送される信号の種類に応じて異なる色が付されると共に付された色に応じて前記各挿入孔の大きさが異なるようにされたものである。
【００２０】
従って、電子機器にあっては、接続端子ユニットにおいて、各カラーリングが、伝送される信号の種類に応じて付された色及び挿入孔の大きさが異なる。
【００２１】
カラーリングの誤組付の検出方法は、上記した課題を解決するために、ピンプラグがそれぞれ接続される各ピンジャックに伝送される信号の種類に応じて異なる色が付されると共に付された色に応じて挿入孔の大きさが異なるカラーリングの前記挿入孔の大きさをサイズ判別手段によって判別し、前記サイズ判別手段による判別結果に基づいて検出された前記カラーリングの配列順序と、伝送される信号の種類に応じて予め定められている前記カラーリングの配列順序とを比較するものである。
【００２２】
従って、カラーリングの誤組付の検出方法にあっては、サイズ判別手段によって判別されるカラーリングの挿入孔の大きさに基づいてカラーリングの誤組付が検出される。
【発明の効果】
【００２３】
本発明接続端子ユニットは、取付ベースと、伝送される信号の種類に応じ前記取付ベースの予め定められた位置にそれぞれ配置された複数のピンジャックとを備え、前記各ピンジャックは、前記取付ベースに結合される絶縁筒体と、アース電極とセンターピンを有するピンプラグの前記センターピンが接続され前記絶縁筒体の内部に収容される接続端子片と、円筒部を有し前記ピンプラグのアース電極が接続され前記絶縁筒体の外周面に結合される接地筒体と、前記ピンプラグのセンターピンが挿入される挿入孔が形成され前記絶縁筒体の軸方向における一端部に取り付けられ前記接地筒体の内部に配置されるカラーリングとを備え、前記各カラーリングは前記各ピンジャックに伝送される信号の種類に応じて異なる色が付されると共に付された色に応じて前記各挿入孔の大きさが異なるようにされている。
【００２４】
従って、各カラーリングの各挿入孔の大きさに基づいてカラーリングの誤組付を検出することができ、接続端子ユニットの製造不良を低減することができ、製造コストの削減を図ることができる。
【００２５】
請求項２に記載した発明にあっては、前記挿入孔の大きさがサイズ判別手段によって判別されて前記カラーリングの誤組付が検出されるようにしているので、カラーリングの誤組付を確実に検出することができる。
【００２６】
請求項３に記載した発明にあっては、前記サイズ判別手段として基体と前記基体から突出され前記複数のピンジャックの個数と同数の判別ピンとを有するサイズ判別用治具を用い、隣接する前記判別ピンの中央間の距離が隣接する前記カラーリングの中心間の距離と一致し、前記各判別ピンは軸方向に垂直な断面の大きさが異なり、大きさによる前記判別ピンの前記基体に対する配列順序が前記挿入孔の大きさによる前記カラーリングの配列順序と同一であり、前記各判別ピンの大きさは、同一の配列順序に位置する前記各挿入孔の大きさより小さく、同一の配列順序に位置する前記各挿入孔より小さい前記挿入孔の大きさより大きくされている。
【００２７】
従って、サイズ判別用治具によるカラーリングの誤組付の検出を各判別ピンの各カラーリングに対する挿入動作により行うことができ、サイズ判別用治具を用いることによりカラーリングの誤組付の検出を容易に行うことができる。
【００２８】
本発明電子機器は、機器本体と、取付ベースと伝送される信号の種類に応じ前記取付ベースの予め定められた位置にそれぞれ配置された複数のピンジャックとを有すると共に前記機器本体に取り付けられた接続端子ユニットとを備え、前記各ピンジャックは、前記取付ベースに結合される絶縁筒体と、アース電極とセンターピンを有するピンプラグの前記センターピンが接続され前記絶縁筒体の内部に収容される接続端子片と、円筒部を有し前記ピンプラグのアース電極が接続され前記絶縁筒体の外周面に結合される接地筒体と、前記ピンプラグのセンターピンが挿入される挿入孔が形成され前記絶縁筒体の軸方向における一端部に取り付けられ前記接地筒体の内部に配置されるカラーリングとを備え、前記各カラーリングは前記各ピンジャックに伝送される信号の種類に応じて異なる色が付されると共に付された色に応じて前記各挿入孔の大きさが異なるようにされている。
【００２９】
従って、各カラーリングの各挿入孔の大きさに基づいてカラーリングの誤組付を検出することができ、電子機器の製造不良を低減することができ、製造コストの削減を図ることができる。
【００３０】
本発明カラーリングの誤組付の検出方法は、ピンプラグがそれぞれ接続される各ピンジャックに伝送される信号の種類に応じて異なる色が付されると共に付された色に応じて挿入孔の大きさが異なるカラーリングの前記挿入孔の大きさをサイズ判別手段によって判別し、前記サイズ判別手段による判別結果に基づいて検出された前記カラーリングの配列順序と、伝送される信号の種類に応じて予め定められている前記カラーリングの配列順序とを比較している。
【００３１】
従って、サイズ判別手段によってカラーリングの挿入孔の大きさを判別してカラーリングの誤組付を検出しているので、接続端子ユニットの製造不良を低減することができ、製造コストの削減を図ることができる。
【発明を実施するための最良の形態】
【００３２】
以下に、本発明を実施するため最良の形態を添付図面に従って説明する。
【００３３】
以下に示した最良の形態は、本発明電子機器をテレビジョン受像機に適用し、本発明接続端子ユニットをこのテレビジョン受像機の接続端子ユニットに適用し、本発明カラーリングの誤組付の検出方法をこのテレビジョン受像機の接続端子ユニットにおけるカラーリングの誤組付の検出方法に適用したものである。
【００３４】
但し、本発明の適用範囲はテレビジョン受像機、テレビジョン受像機の接続端子ユニット及びテレビジョン受像機の接続端子ユニットにおけるカラーリングの誤組付の検出方法に限られることはない。本発明電子機器は、例えば、ディスクレコーダー等の記録再生装置、ビデオカメラやスチルカメラ等の撮像装置、パーソナルコンピューター等の情報処理装置等の各種の電子機器に適用することができる。また、本発明接続端子ユニット及びカラーリングの誤組付の検出方法は、例えば、これらの各種の電子機器の接続端子ユニット及びこれらの各種の電子機器の接続端子ユニットにおけるカラーリングの誤組付の検出方法に広く適用することができる。
【００３５】
以下の説明にあっては、電子機器（テレビジョン受像機）の背面から見た方向で前後上下左右の方向を示すものとする。
【００３６】
なお、以下に示す前後上下左右の方向は説明の便宜上のものであり、本発明の実施に関しては、これらの方向に限定されることはない。
【００３７】
＜実施の形態＞
［電子機器の構成］
電子機器（テレビジョン受像機）１は機器本体２を有し、機器本体２には正面に表示画面２ａが設けられている（図１参照）。
【００３８】
電子機器１は下端の中央部がスタンド３に取り付けられ、スタンド３により保持されている。
【００３９】
機器本体２の内部には地上デジタルテレビ放送用やＢＳ（Broadcasting Satellite）放送用等の図示しない各種のチューナーが配置されており、各種のチューナーによりテレビジョン放送等が受信可能とされている。
【００４０】
機器本体２の背面には各種の端子４、４、・・・が配置されている（図２参照）。端子４、４、・・・としては、例えば、ＵＳＢ（Universal Serial Bus）端子、ＨＤＭＩ（High-Definition Multimedia Interface）端子等が設けられている。端子４、４、・・・に対応するケーブル等を必要に応じて端子４、４、・・・に接続することにより映像や音声等の信号の入出力が行われる。
【００４１】
以下に、実施の形態における接続端子ユニット５について説明する（図２乃至図６参照）。
【００４２】
［接続端子ユニット等の構成］
機器本体２の背面には接続端子ユニット５、５が配置されている（図２参照）。接続端子ユニット５は取付ベース６と取付ベース６に配置されたピンジャック７、７、７とを有している（図３参照）。接続端子ユニット５のピンジャック７、７、７にはピンケーブル１００が接続され、映像や音声等の信号の入出力が行われる。
【００４３】
ピンケーブル１００はコード１０１、１０１、１０１とコード１０１、１０１、１０１の両端部にそれぞれ接続されたピンプラグ１０２、１０２、・・・とを有している。ピンプラグ１０２はセンターピン１０３とアース電極１０４を有している。ピンプラグ１０２、１０２、１０２はそれぞれピンジャック７、７、７に接続され、外周面にそれぞれ異なる色が付されている。
【００４４】
例えば、ピンケーブル１００はステレオ音声信号用とコンポジット映像信号用の場合には、コード１０１、１０１、１０１の両側にそれぞれ３個ずつのピンプラグ１０２、１０２、・・・を有し、ピンプラグ１０２、１０２、１０２の外周面にそれぞれ赤色、白色、黄色が付されている。
【００４５】
また、例えば、ピンケーブル１００がコンポーネント映像信号用の場合には、コード１０１、１０１、１０１の両側にそれぞれ３個ずつのピンプラグ１０２、１０２、・・・を有し、ピンプラグ１０２、１０２、１０２の外周面にそれぞれ緑色、青色、赤色が付されている。
【００４６】
取付ベース６は、例えば、機器本体２に内蔵された図示しない回路基板等に取り付けられる。
【００４７】
取付ベース６は、例えば、樹脂等の絶縁性を有する材料によって略直方体に形成され、取付ベース６の後面に後方に開口された結合用凹部６ａ、６ａ、６ａが左右に並んで形成されている（図３及び図４参照）。取付ベース６の下端部における後端部には後方に開口されそれぞれ結合用凹部６ａ、６ａ、６ａに連通された接地用挿入部６ｂ、６ｂ、６ｂが形成されている。取付ベース６の下端部における前端部には信号用挿入部６ｃ、６ｃ、６ｃが左右に離隔して形成されている。
【００４８】
ピンジャック７、７、７は取付ベース６の結合用凹部６ａ、６ａ、６ａにそれぞれ配置されている。ピンジャック７、７、７には入出力される音声や映像に応じてそれぞれ異なる種類の信号が伝送され、ピンジャック７、７、７は伝送される信号の種類に応じて予め定められた位置（左側、中間又は右側）にそれぞれ配置されている。
【００４９】
ピンジャック７は絶縁筒体８と接続端子片９と接地筒体１０とカラーリング１１を有している（図４参照）。
【００５０】
絶縁筒体８は樹脂等の絶縁性を有する材料によって略円筒状に形成され、絶縁筒体８の軸方向における一端部（後端部）には後方に開口された嵌合凹部８ａが形成されている。絶縁筒体８は取付ベース６と一体に形成されている。
【００５１】
なお、本実施形態では絶縁筒体８と取付ベース６が一体に形成されているが、絶縁筒体８と取付ベース６が別体で形成され、両者が結合された構成であってもよい。
【００５２】
接続端子片９は金属等の導電性を有する材料によって形成されており、例えば、板状に形成され、後方に開口された略Ｕ字形の端子片本体部９ａと端子片本体部９ａの前端部から下方へ突出された信号用接続部９ｂとから成る。なお、端子片本体部９ａは略Ｕ字形に限られることはなく、センターピン１０３に接続される形状であればよい。
【００５３】
端子片本体部９ａは絶縁筒体８の内部に収容される。信号用接続部９ｂは信号用挿入部６ｃに挿入され、先端部が取付ベース６から突出されて機器本体２に内蔵された図示しない回路に接続される。
【００５４】
接地筒体１０は金属等の導電性を有する材料によって形成されており、円筒部１０ａと円筒部１０ａの軸方向における一端部（後端部）から内方へ張り出されたフランジ部１０ｂと円筒部１０ａの軸方向における他端部（前端部）から下方へ突出された接地用接続部１０ｃとを有している。
【００５５】
接地筒体１０は絶縁筒体８の外周面に結合される。接地用接続部１０ｃは取付ベース６の接地用挿入部６ｂに挿入され、先端部が取付ベース６から突出されて機器本体２に内蔵された図示しない回路に接続される。
【００５６】
カラーリング１１は樹脂等の絶縁性を有する材料によって形成されており、使用者がピンケーブル１００の何れのピンプラグ１０２、１０２、１０２を何れのピンジャック７、７、７に接続するかの判別を行うために設けられている。カラーリング１１は、円環状に形成されたリング本体部１２とリング本体部１２の前面における内周部から前方へ突出された嵌入部１３とから成る。
【００５７】
カラーリング１１の前後に貫通された孔は挿入孔１１ａとして形成されている。挿入孔１１ａの軸方向に垂直な断面形状は、例えば、円形である。なお、挿入孔１１ａの断面形状は円形に限られることはなく、例えば、正方形や楕円形等のセンターピン１０３が挿入可能な任意の形状とすることが可能である。カラーリング１１はリング本体部１２の内径が接地筒体１０のフランジ部１０ｂの内径より小さくされている。
【００５８】
カラーリング１１、１１、１１にはそれぞれピンジャック７、７、７に伝送される信号の種類に応じて定められた色が付されている。
【００５９】
例えば、接続端子ユニット５がステレオ音声信号用とコンポジット映像信号用の場合には、カラーリング１１、１１、１１に右側音声信号用、左側音声信号用、コンポジット映像信号用に応じてそれぞれ赤色、白色、黄色が付されている。
【００６０】
また、例えば、接続端子ユニット５がコンポーネント映像信号用の場合には、カラーリング１１、１１、１１に輝度信号用（Ｙ）、色差信号用（ＰＢまたはＣＢ）、色差信号用（ＰＲまたはＣＲ）に応じてそれぞれ緑色、青色、赤色が付されている。
【００６１】
カラーリング１１は、嵌入部１３が絶縁筒体８の嵌合凹部８ａに嵌め合わされ、リング本体部１２の前面が絶縁筒体８の後面に接した状態で絶縁筒体８に取り付けられる。カラーリング１１が絶縁筒体８に取り付けられた状態において、接地筒体１０が後方からカラーリング１１を覆うように絶縁筒体８に結合され、フランジ部１０ｂによってカラーリング１１のリング本体部１２が押さえられる。このようにして、カラーリング１１はリング本体部１２が絶縁筒体８の後面と接地筒体１０のフランジ部１０ｂとの間に配置される。
【００６２】
上記したように、カラーリング１１はリング本体部１２の内径が接地筒体１０のフランジ部１０ｂの内径より小さくされているので、カラーリング１１の一部が外部から接地筒体１０の内部において視認可能な状態とされる。
【００６３】
従って、使用者はピンケーブル１００の何れのピンプラグ１０２、１０２、１０２を何れのピンジャック７、７、７に接続するかをピンプラグ１０２、１０２、１０２の外周面の色及びカラーリング１１、１１、１１の色によって判別することができる。
【００６４】
上記のように構成された接続端子ユニット５のピンジャック７、７、７には、上記したように、ピンケーブル１００の一方のピンプラグ１０２、１０２、１０２がそれぞれ接続される。ピンケーブル１００の他方のピンプラグ１０２、１０２、１０２は図示しない外部機器のコネクターに接続される。
【００６５】
このとき、同じ色同士のピンジャック７とピンプラグ１０２を接続することによりピンジャック７とピンプラグ１０２の間の正しい接続関係が確保される。
【００６６】
ピンジャック７にピンプラグ１０２が接続されるときには、ピンプラグ１０２のセンターピン１０３が接地筒体１０、カラーリング１１の挿入孔１１ａ及び絶縁筒体８に順に挿通され、接続端子片９の端子片本体部９ａに接続される。従って、電子機器１と外部機器の間において、ピンジャック７の接続端子片９とピンプラグ１０２のセンターピン１０３とを介して信号の伝送が可能とされる。
【００６７】
また、ピンジャック７にピンプラグ１０２が接続されるときには、ピンプラグ１０２のアース電極１０４が接地筒体１０の円筒部１０ａに外嵌状に結合される。従って、電子機器１と外部機器の間において、ピンジャック７の接地筒体１０とピンプラグ１０２のアース電極１０４との接続によりグランドレベルが統一される。
【００６８】
［カラーリングの色と大きさ（直径）等］
カラーリング１１、１１、１１の挿入孔１１ａ、１１ａ、１１ａの直径Ｄｒ、Ｄｒ、Ｄｒはカラーリング１１、１１、１１に付された色に応じて異なる大きさにされている（図５参照）。
【００６９】
例えば、赤色、白色、黄色が付されたカラーリング１１（１１Ｒ）、１１（１１Ｗ）、１１（１１Ｙ）は、挿入孔１１ａ、１１ａ、１１ａの直径Ｄｒ、Ｄｒ、Ｄｒがそれぞれ４．５ｍｍ、４．０ｍｍ、３．５ｍｍとされている。
【００７０】
このときカラーリング１１、１１、１１の寸法公差を±０．１ｍｍとすると、最小の大きさである挿入孔１１ａの直径Ｄｒの許容寸法は３．４ｍｍ〜３．６ｍｍであり、中間の大きさである挿入孔１１ａの直径Ｄｒの許容寸法は３．９ｍｍ〜４．１ｍｍであり、最大の大きさである挿入孔１１ａの直径Ｄｒの許容寸法は４．４ｍｍ〜４．６ｍｍである。
【００７１】
従って、寸法公差を考慮しても挿入孔１１ａ、１１ａ、１１ａの直径Ｄｒ、Ｄｒ、Ｄｒの差は０．３ｍｍ以上ある。そのため、カラーリング１１、１１、１１の挿入孔１１ａ、１１ａ、１１ａの直径Ｄｒ、Ｄｒ、Ｄｒの大きさは製造によるばらつきが生じた場合においてもカラーリング１１、１１、１１に付された色に応じて必ず異なる。即ち、挿入孔１１ａ、１１ａ、１１ａの直径Ｄｒ、Ｄｒ、Ｄｒの大きさは必ず赤色、白色、黄色のカラーリング１１、１１、１１の順序で大、中、小となる。
【００７２】
一方、ピンプラグ１０２のセンターピン１０３における軸方向に垂直な断面の直径Ｄは、例えば、３．２ｍｍであり、寸法公差は±０．００５ｍｍである（図６参照）。
【００７３】
挿入孔１１ａの直径Ｄｒは最小値が３．４ｍｍであり、センターピン１０３の断面の直径Ｄは最大値が３．２０５ｍｍである。従って、カラーリング１１の挿入孔１１ａの最小の直径Ｄｒはセンターピン１０３の最大の直径Ｄより大きく、全てのカラーリング１１、１１、１１の挿入孔１１ａ、１１ａ、１１ａにセンターピン１０３、１０３、１０３が挿入可能とされている。
【００７４】
上記したように、接続端子ユニット５のピンジャック７、７、７は伝送される信号の種類に応じて取付ベース６の予め定められた位置（左側、中間又は右側）にそれぞれ配置され、カラーリング１１、１１、１１はピンジャック７、７、７に伝送される信号の種類に応じてそれぞれ定められた色が付されている。また、カラーリング１１、１１、１１は付された色に応じて挿入孔１１ａ、１１ａ、１１ａの直径Ｄｒ、Ｄｒ、Ｄｒの大きさが異なるようにされている。
【００７５】
従って、接続端子ユニット５においては、カラーリング１１、１１、１１は定められた位置（左側、中間又は右側）に定められた色が付され、かつ、定められた色に応じた直径Ｄｒ、Ｄｒ、Ｄｒの挿入孔１１ａ、１１ａ、１１ａを有した状態で組み付けられている。
【００７６】
よって、接続端子ユニット５の製造工程において、定められた位置に定められた色でない別の色が付されたカラーリング１１が組み付けられてしまった場合には、以下のように、サイズ判別手段によってカラーリング１１、１１、１１の挿入孔１１ａ、１１ａ、１１ａの直径Ｄｒ、Ｄｒ、Ｄｒの大きさを判別することにより、接続端子ユニット５におけるカラーリング１１の誤組付を検出することができる。
【００７７】
［カラーリングの誤組付の検出方法］
以下に、サイズ判別手段としてサイズ判別用治具５０を用いたカラーリング１１の誤組付の検出方法について説明する（図５、図７乃至図９参照）。
【００７８】
まず、サイズ判別用治具５０の構成について説明する。
【００７９】
サイズ判別用治具５０は図示しない設備等に支持される基体５１と基体５１からそれぞれ前方へ突出された判別ピン５２、５２、５２とから成る（図７参照）。
【００８０】
判別ピン５２、５２、５２は、個数が判別対象であるピンジャック７、７、７の個数と同数であり、隣接する判別ピン５２、５２の中央間（中心間）の距離ｆｐが上記した隣接するカラーリング１１、１１の中心間の距離Ｆｒと一致するように配置されている（図５及び図７参照）。
【００８１】
判別ピン５２、５２、５２は、軸方向に垂直な断面形状が、例えば、円形であり、直径ｄｐ、ｄｐ、ｄｐがそれぞれ異なる大きさに形成されている。なお、判別ピン５２、５２、５２の軸方向に垂直な断面形状はカラーリング１１、１１、１１の挿入孔１１ａ、１１ａ、１１ａの形状に応じて形成され、挿入孔１１ａ、１１ａ、１１ａの形状と同一の形状にされる。
【００８２】
判別ピン５２、５２、５２の基体５１における配列順序は直径ｄｐ、ｄｐ、ｄｐの大きさによって定められており、挿入孔１１ａ、１１ａ、１１ａの直径Ｄｒ、Ｄｒ、Ｄｒによるカラーリング１１、１１、１１の配列順序と同一である。
【００８３】
例えば、図５及び図７に示すように、ピンジャック７、７、７に伝送される信号の種類に応じて予め定められた位置（正しい位置）に配列されたカラーリング１１、１１、１１が、挿入孔１１ａ、１１ａ、１１ａの直径Ｄｒ、Ｄｒ、Ｄｒが大きい順序で左側から配列されている場合には、判別ピン５２、５２、５２の配列順序も直径ｄｐ、ｄｐ、ｄｐが大きい順序で左側から配列されている。
【００８４】
判別ピン５２の直径ｄｐは、同一順序に位置する挿入孔１１ａの直径Ｄｒより小さく、同一順序に位置する挿入孔１１ａより小さい挿入孔１１ａの直径Ｄｒより大きくされている。
【００８５】
即ち、最大の判別ピン５２の直径ｄｐは最大の挿入孔１１ａの直径Ｄｒより小さく、二番目に大きい挿入孔１１ａの直径Ｄｒより大きい。二番目に大きい判別ピン５２の直径ｄｐは二番目に大きい挿入孔１１ａの直径Ｄｒより小さく、三番目に大きい挿入孔１１ａの直径Ｄｒより大きい。三番目に大きい判別ピン５２の直径ｄｐは三番目に大きい挿入孔１１ａの直径Ｄｒより小さい。
【００８６】
例えば、接続端子ユニット５がステレオ音声信号用とコンポジット映像信号用の場合において、ピンジャック７、７、７が左側から右側音声信号用、左側音声信号用、コンポジット映像信号用であるときには、左側から赤色、白色、黄色が付されたカラーリング１１、１１、１１が順に組み付けられている。この場合のカラーリング１１、１１、１１の組付位置は正しい位置である。赤色、白色、黄色が付されたカラーリング１１、１１、１１は、挿入孔１１ａ、１１ａ、１１ａの直径Ｄｒ、Ｄｒ、Ｄｒが、例えば、それぞれ４．５ｍｍ、４．０ｍｍ、３．５ｍｍとされている。
【００８７】
このときカラーリング１１、１１、１１の寸法公差を±０．１ｍｍとすると、赤色のカラーリング１１（左側）の挿入孔１１ａにおける直径Ｄｒの許容寸法は４．４ｍｍ〜４．６ｍｍである。白色のカラーリング１１（中間）の挿入孔１１ａにおける直径Ｄｒの許容寸法は３．９ｍｍ〜４．１ｍｍであり、黄色のカラーリング１１（右側）の挿入孔１１ａにおける直径Ｄｒの許容寸法は３．４ｍｍ〜３．６ｍｍである。
【００８８】
これに対して、判別ピン５２、５２、５２は、直径ｄｐ、ｄｐ、ｄｐが左側から、例えば、それぞれ４．４ｍｍ、３．９ｍｍ、３．４ｍｍとされている。
【００８９】
このとき判別ピン５２、５２、５２の寸法公差を−０．０５ｍｍ以内とすると、左側に位置する判別ピン５２の直径ｄｐの許容寸法は４．３５ｍｍ〜４．４ｍｍである。中間に位置する判別ピン５２の直径ｄｐの許容寸法は３．８５ｍｍ〜３．９ｍｍであり、右側に位置する判別ピン５２の直径ｄｐの許容寸法は３．３５ｍｍ〜３．４ｍｍである。
【００９０】
従って、左側に位置する判別ピン５２は赤色のカラーリング１１の挿入孔１１ａに挿入することができるが、白色及び黄色のカラーリング１１の挿入孔１１ａには挿入することができない。中間に位置する判別ピン５２は赤色及び白色のカラーリング１１の挿入孔１１ａに挿入することができるが、黄色のカラーリング１１の挿入孔１１ａには挿入することができない。右側に位置する判別ピン５２は赤色、白色及び黄色の全てのカラーリング１１の挿入孔１１ａに挿入することができる。
【００９１】
以下に、上記のサイズ判別用治具５０を用いたカラーリング１１の誤組付の検出手順について説明する。
【００９２】
まず、サイズ判別用治具５０におけるいずれか１つの判別ピン５２の中央（中心）を検査対象である接続端子ユニット５におけるカラーリング１１、１１、１１の内の判別ピン５２と同一位置に配置されたカラーリング１１の中央（中心）に一致させるようにサイズ判別用治具５０の位置を調整する。
【００９３】
例えば、中間に位置する判別ピン５２の中心を中間に位置するカラーリング１１の中心に一致させるようにサイズ判別用治具５０の位置を調整する。
【００９４】
次に、サイズ判別用治具５０を接続端子ユニット５に接近させ、左側、中間、右側に位置する判別ピン５２、５２、５２の左側、中間、右側に位置するカラーリング１１、１１、１１の挿入孔１１ａ、１１ａ、１１ａに対する挿入動作を行う。
【００９５】
このとき、例えば、上記したように、接続端子ユニット５において赤色、白色、黄色が付されたカラーリング１１（１１Ｒ）、１１（１１Ｗ）、１１（１１Ｙ）が正しい配列順序で左側から順にそれぞれ組み付けられている場合には、挿入孔１１ａ、１１ａ、１１ａにそれぞれ判別ピン５２、５２、５２が挿入される（図８参照）。
【００９６】
一方、接続端子ユニット５において、例えば、赤色、黄色、白色が付されたカラーリング１１（１１Ｒ）、１１（１１Ｙ）、１１（１１Ｗ）が誤った配列順序で左側から順にそれぞれ組み付けられている場合には、挿入孔１１ａ、１１ａ、１１ａに判別ピン５２、５２、５２を挿入することができない（図９参照）。
【００９７】
中間に位置する判別ピン５２の直径ｄｐが中間に位置する黄色が付されたカラーリング１１（１１Ｙ）の挿入孔１１ａの直径Ｄｒより大きく、中間に位置する判別ピン５２の先端面が中間に位置するカラーリング１１（１１Ｙ）の後面に接してしまうためである。
【００９８】
次いで、上記した挿入動作において、全ての判別ピン５２、５２、５２をカラーリング１１、１１、１１の挿入孔１１ａ、１１ａ、１１ａに挿入することができたか否かを判別する。
【００９９】
全ての判別ピン５２、５２、５２をカラーリング１１、１１、１１の挿入孔１１ａ、１１ａ、１１ａに挿入することができた場合には、接続端子ユニット５におけるカラーリング１１、１１、１１の配列順序が正しい配列順序（ピンジャック７、７、７に伝送される信号の種類に応じて予め定められた位置に配列された順序）であることが検出される。
【０１００】
一方、判別ピン５２、５２、５２をカラーリング１１、１１、１１の挿入孔１１ａ、１１ａ、１１ａに挿入できなかった場合には、接続端子ユニット５におけるカラーリング１１、１１、１１の配列順序が誤っており、カラーリング１１の誤組付が検出される。
【０１０１】
カラーリング１１の誤組付が検出された場合には、カラーリング１１、１１、１１に付された色を目視により確認し、カラーリング１１、１１、１１を正しい組付位置に組み付け換える等の対処をする。
【０１０２】
なお、上記には、サイズ判別手段としてサイズ判別用治具５０を用いた例を示したが、サイズ判別手段はサイズ判別用治具５０に限られることはなく、例えば、サイズ判別手段としてレーザー光や画像処理等により挿入孔１１ａ、１１ａ、１１ａの直径Ｄｒ、Ｄｒ、Ｄｒの大きさを判別する手段を用いてもよい。
【０１０３】
この場合には、判別した挿入孔１１ａ、１１ａ、１１ａの直径Ｄｒ、Ｄｒ、Ｄｒの大きさと正しい順序で配列されたカラーリング１１、１１、１１の挿入孔１１ａ、１１ａ、１１ａの直径Ｄｒ、Ｄｒ、Ｄｒとをそれぞれ比較する。
【０１０４】
その比較結果により、検査対象である接続端子ユニット５におけるカラーリング１１、１１、１１の配列順序がカラーリング１１、１１、１１の正しい配列順序と異なっている場合には、カラーリング１１の誤組付が検出される。
【０１０５】
上記したように、接続端子ユニット５にあっては、カラーリング１１、１１、１１の挿入孔１１ａ、１１ａ、１１ａの直径Ｄｒ、Ｄｒ、Ｄｒがカラーリング１１、１１、１１に付された色に応じて異なるようにされている。従って、カラーリング１１の誤組付を検出することができ、接続端子ユニット５の製造不良を低減して製造コストの削減を図ることができる。
【０１０６】
また、接続端子ユニット５にあっては、サイズ判別手段よってカラーリング１１、１１、１１の挿入孔１１ａ、１１ａ、１１ａの直径Ｄｒ、Ｄｒ、Ｄｒの大きさを判別しているので、カラーリング１１の誤組付を確実に検出することができる。
【０１０７】
サイズ判別手段としてサイズ判別用治具５０を用いる場合にあっては、サイズ判別用治具５０が基体５１と基体５１から突出された判別ピン５２、５２、５２とから成る簡易な構成であるので、コストの高騰を来たすことなくカラーリング１１の誤組付を確実に検出することができる。また、サイズ判別用治具５０によるカラーリング１１の誤組付の検出は判別ピン５２、５２、５２のカラーリング１１、１１、１１に対する挿入動作により行うことができるので、サイズ判別用治具５０を用いることによりカラーリング１１の誤組付の検出を容易に行うことができる。
【０１０８】
＜その他の形態＞
以下に、その他の形態における接続端子ユニット２５について説明する（図１０及び図１１参照）。
【０１０９】
なお、以下に示す接続端子ユニット２５は、上記した接続端子ユニット５と比較して、絶縁筒体及びカラーリングの構造及び形状が異なることのみが相違するので、接続端子ユニット５と比較して異なる部分についてのみ詳細に説明をし、その他の部分については接続端子ユニット５における同様の部分に付した符号を付して説明は省略する。
【０１１０】
［接続端子ユニットの構成］
接続端子ユニット２５は取付ベース６と取付ベース６に配置されたピンジャック２７、２７、２７とを有している（図１０参照）。
【０１１１】
ピンジャック２７は絶縁筒体２８と接続端子片９と接地筒体１０とカラーリング３１を有している。
【０１１２】
絶縁筒体２８は樹脂等の絶縁性を有する材料よって略円筒状に形成されている。絶縁筒体２８の軸方向における一端部（後端部）には、後方に開口された嵌合凹部２８ａが形成されている。絶縁筒体２８の後端部における下端部には、上下及び後方に開口された位置決め用切欠２８ｂが形成されている。絶縁筒体２８は取付ベース６と一体に形成されている。
【０１１３】
なお、本形態では絶縁筒体２８、２８、２８と取付ベース６が一体に形成されているが、絶縁筒体２８、２８、２８と取付ベース６が別体で形成され、両者が結合された構成であってもよい。
【０１１４】
カラーリング３１は、図１０及び図１１に示すように、樹脂等の絶縁性を有する材料によって形成されている。カラーリング３１は外形が円形状のリング状に形成されたリング本体部３２とリング本体部３２の前面における内周部から前方へ突出された嵌入部３３と嵌入部３３の外周面から外方へ突出された位置決め用突部３４とから成る。
【０１１５】
カラーリング３１の前後に貫通された孔は挿入孔３１ａとして形成されている。挿入孔３１ａの軸方向に垂直な断面形状は、例えば、楕円形である。なお、挿入孔３１ａの断面形状は楕円形に限られることはなく、例えば、長方形や菱形等のセンターピン１０３が挿入可能な円形以外の任意の形状とすることが可能である。カラーリング３１は挿入孔３１ａの短径が接地筒体１０のフランジ部１０ｂの内径より小さくされている。
【０１１６】
カラーリング３１、３１、３１は挿入孔３１ａ、３１ａ、３１ａの大きさがすべて同一とされている。
【０１１７】
カラーリング３１は、位置決め用突部３４が絶縁筒体２８の位置決め用切欠２８ｂに挿入されて絶縁筒体２８の後端部における下端部に位置され、嵌入部３３が絶縁筒体２８の嵌合凹部２８ａに嵌め合わされ、リング本体部３２の前面が絶縁筒体２８の後面に接した状態で絶縁筒体２８に取り付けられる。カラーリング３１が絶縁筒体２８に取り付けられた状態において、接地筒体１０が後方からカラーリング３１を覆うように絶縁筒体２８に結合され、フランジ部１０ｂによってカラーリング３１のリング本体部３２が押さえられる。このようにして、カラーリング３１はリング本体部３２が絶縁筒体２８の後面と接地筒体１０のフランジ部１０ｂとの間に配置される。
【０１１８】
上記したように、カラーリング３１は挿入孔３１ａの短径が接地筒体１０のフランジ部１０ｂの内径より小さくされているので、カラーリング３１の一部が外部から接地筒体１０の内部において視認可能な状態とされる。
【０１１９】
なお、カラーリング３１は、上記したように、位置決め用突部３４が位置決め用切欠２８ｂに挿入されることにより絶縁筒体２８に対して位置決めされるが、逆に、絶縁筒体２８に位置決め用突部を設け、カラーリング３１に位置決め用切欠を形成することによってカラーリング３１の絶縁筒体２８に対する位置決めをすることも可能である。
【０１２０】
［カラーリングの色と組付角度等］
カラーリング３１、３１、３１にはそれぞれピンジャック２７、２７、２７に伝送される信号の種類に応じて定められた色が付されている。
【０１２１】
カラーリング３１、３１、３１は、楕円形状に形成された挿入孔３１ａ、３１ａ、３１ａの向きが付された色に応じて異なる向きで組み付けられている（図１０及び図１１参照）。即ち、ピンジャック２７、２７、２７の配列方向に対する挿入孔３１ａ、３１ａ、３１ａの長軸方向の角度Ｔｒ、Ｔｒ、Ｔｒがカラーリング３１、３１、３１に付された色に応じてそれぞれ異なるようにして組み付けられている。
【０１２２】
例えば、赤色、白色、黄色が付されたカラーリング３１（３１Ｒ）、３１（３１Ｗ）、３１（３１Ｙ）は、挿入孔３１ａ、３１ａ、３１ａの長軸方向の角度Ｔｒ、Ｔｒ、Ｔｒがそれぞれ０度、４５度、９０度とされるように組み付けられている。即ち、挿入孔３１ａ、３１ａ、３１ａは、長軸方向が中心と位置決め用突部３４、３４、３４を結ぶ線分を基準としてそれぞれ９０度、１３５度、１８０度の方向となるようにされている。
【０１２３】
なお、挿入孔３１ａ、３１ａ、３１ａの向きがそれぞれ異なる向きでカラーリング３１、３１、３１を組み付けるために、カラーリング３１、３１、３１を同一の形状に形成し、絶縁筒体２８、２８、２８の位置決め用切欠２８ｂ、２８ｂ、２８ｂをピンジャック２７、２７、２７に伝送される信号の種類に応じてそれぞれ周方向における異なる位置に形成してもよい。
【０１２４】
上記したように、接続端子ユニット２５のピンジャック２７、２７、２７は伝送される信号の種類に応じて取付ベース６の予め定められた位置（左側、中間又は右側）にそれぞれ配置され、カラーリング３１、３１、３１はピンジャック２７、２７、２７に伝送される信号の種類に応じてそれぞれ定められた色が付されている。また、カラーリング３１、３１、３１は、挿入孔３１ａ、３１ａ、３１ａの長軸方向の角度Ｔｒ、Ｔｒ、Ｔｒが付された色に応じて異なるように組み付けられている。
【０１２５】
従って、接続端子ユニット２５においては、カラーリング３１、３１、３１は定められた位置（左側、中間又は右側）に定められた色が付され、かつ、定められた色に応じた挿入孔３１ａ、３１ａ、３１ａの長軸方向の角度Ｔｒ、Ｔｒ、Ｔｒで組み付けられている。
【０１２６】
よって、接続端子ユニット２５の製造工程において、定められた位置に定められた色でない別の色が付されたカラーリング３１が組み付けられてしまった場合には、以下のように、組付角度判別手段によってカラーリング３１、３１、３１に形成された挿入孔３１ａ、３１ａ、３１ａの長軸方向の角度Ｔｒ、Ｔｒ、Ｔｒの大きさを判別することにより、接続端子ユニット２５におけるカラーリング３１の誤組付を検出することができる。
【０１２７】
［カラーリングの誤組付の検出方法］
以下に、組付角度判別手段として組付角度判別用治具６０を用いたカラーリング３１の誤組付の検出方法について説明する（図１２参照）。
【０１２８】
なお、以下に示す組付角度判別用治具６０は、上記したサイズ判別用治具５０と比較して、判別ピンの構造及び形状が異なることのみが相違する。従って、組付角度判別用治具６０については、サイズ判別用治具５０と比較して異なる部分についてのみ詳細に説明し、その他の部分についてはサイズ判別用治具５０における同様の部分に付した符号を付して説明を省略する。
【０１２９】
まず、組付角度判別用治具６０の構成について説明する。
【０１３０】
組付角度判別用治具６０は図示しない設備等に支持される基体５１と基体５１からそれぞれ前方へ突出された判別ピン６２、６２、６２とから成る。（図１２（Ｃ）参照）。
【０１３１】
判別ピン６２、６２、６２は、個数が判別対象であるピンジャック２７、２７、２７の個数と同数であり、隣接する判別ピン６２、６２の中央間の距離ｆｐが上記した隣接するカラーリング３１、３１の中心間の距離Ｆｒと一致するように配置されている。
【０１３２】
判別ピン６２、６２、６２は軸方向に垂直な断面形状が、例えば、楕円形である。なお、判別ピン６２、６２、６２の軸方向に垂直な断面形状はカラーリング３１、３１、３１の挿入孔３１ａ、３１ａ、３１ａの形状に応じて形成され、挿入孔３１ａ、３１ａ、３１ａの形状と同一の形状にされる。判別ピン６２、６２、６２の大きさはすべて同一とされ、挿入孔３１ａ、３１ａ、３１ａの大きさより僅かに小さくされている。
【０１３３】
判別ピン６２、６２、６２は、配列方向に対する長軸方向の角度ｔｐ、ｔｐ、ｔｐがそれぞれ異なるように設けられている。判別ピン６２、６２、６２の基体５１における配列順序は角度ｔｐ、ｔｐ、ｔｐの大きさによって定められており、挿入孔３１ａ、３１ａ、３１ａの長軸方向の角度Ｔｒ、Ｔｒ、Ｔｒによるカラーリング３１、３１、３１の配列順序と同一である。
【０１３４】
判別ピン６２、６２、６２の長軸方向の角度ｔｐ、ｔｐ、ｔｐは、同一順序に位置する挿入孔３１ａ、３１ａ、３１ａの楕円形の角度Ｔｒ、Ｔｒ、Ｔｒと同一とされている。
【０１３５】
例えば、接続端子ユニット２５がステレオ音声信号用とコンポジット映像信号用の場合において、ピンジャック２７、２７、２７が左側から右側音声信号用、左側音声信号用、コンポジット映像信号用であるときには、左側から赤色、白色、黄色が付されたカラーリング３１、３１、３１が順に組み付けられている。この場合のカラーリング３１、３１、３１の組付位置は正しい位置である。赤色、白色、黄色が付されたカラーリング３１、３１、３１は、挿入孔３１ａ、３１ａ、３１ａの長軸方向の角度Ｔｒ、Ｔｒ、Ｔｒがそれぞれ０度、４５度、９０度とされるように組み付けられている（図１２（Ａ）参照）。
【０１３６】
判別ピン６２、６２、６２は、挿入孔３１ａ、３１ａ、３１ａの長軸方向の角度Ｔｒ、Ｔｒ、Ｔｒと同様に、長軸方向の角度ｔｐ、ｔｐ、ｔｐが左側からそれぞれ０度、４５度、９０度とされるように設けられている（図１２（Ｃ）参照）。
【０１３７】
従って、左側に位置する判別ピン６２は赤色のカラーリング３１の挿入孔３１ａにのみ挿入することができる。中間に位置する判別ピン６２は白色のカラーリング３１の挿入孔３１ａにのみ挿入することができる。右側に位置する判別ピン５２は黄色のカラーリング３１の挿入孔３１ａにのみ挿入することができる。
【０１３８】
以下に、上記の組付角度判別用治具６０を用いたカラーリング３１の誤組付の検出手順について説明する。
【０１３９】
例えば、上記したように、接続端子ユニット２５において赤色、白色、黄色が付されたカラーリング３１（３１Ｒ）、３１（３１Ｗ）、３１（３１Ｙ）が左側から順にそれぞれ組み付けられている場合には、挿入孔３１ａ、３１ａ、３１ａにそれぞれ判別ピン６２、６２、６２が挿入される（図１２（Ａ）及び（Ｃ）参照）。
【０１４０】
一方、接続端子ユニット２５において、例えば、赤色、黄色、白色が付されたカラーリング３１（３１Ｒ）、３１（３１Ｙ）、３１（３１Ｗ）が左側から順にそれぞれ組み付けられている場合には、挿入孔３１ａ、３１ａ、３１ａに判別ピン６２、６２、６２を挿入することができない（図１２（Ｂ）及び（Ｃ）参照）。
【０１４１】
中間及び右側に位置する判別ピン６２、６２の長軸方向の角度ｔｐ、ｔｐがそれぞれ中間及び右側に位置するカラーリング３１（３１Ｙ）、３１（３１Ｗ）の挿入孔３１ａ、３１ａの長軸方向の角度Ｔｒ、Ｔｒと異なり、判別ピン６２、６２の先端面がそれぞれ中間及び右側に位置するカラーリング３１（３１Ｙ）、３１（３１Ｗ）の後面に接してしまうためである。
【０１４２】
上記の挿入動作において、全ての判別ピン６２、６２、６２をカラーリング３１、３１、３１の挿入孔３１ａ、３１ａ、３１ａに挿入することができた場合には、接続端子ユニット２５におけるカラーリング３１、３１、３１の配列順序が正しい配列順序であることが検出される。一方、判別ピン６２、６２、６２をカラーリング３１、３１、３１の挿入孔３１ａ、３１ａ、３１ａに挿入できなかった場合には、カラーリング３１の誤組付が検出される。
【０１４３】
なお、上記には、組付角度判別手段として組付角度判別用治具６０を用いた例を示したが、組付角度判別手段は組付角度判別用治具６０に限られることはなく、例えば、組付角度判別手段としてレーザー光や画像処理等により挿入孔３１ａ、３１ａ、３１ａの長軸方向の角度Ｔｒ、Ｔｒ、Ｔｒの大きさを判別する手段を用いてもよい。
【０１４４】
上記したように、接続端子ユニット２５にあっては、カラーリング３１、３１、３１の挿入孔３１ａ、３１ａ、３１ａにおける長軸方向の角度Ｔｒ、Ｔｒ、Ｔｒが付された色に応じて異なるように組み付けられている。従って、カラーリング３１の誤組付を検出することができ、接続端子ユニット２５の製造不良を低減して製造コストの削減を図ることができる。
【０１４５】
また、接続端子ユニット２５にあっては、組付角度判別手段よってカラーリング３１、３１、３１の挿入孔３１ａ、３１ａ、３１ａにおける長軸方向の角度Ｔｒ、Ｔｒ、Ｔｒの大きさを判別しているので、カラーリング３１の誤組付を確実に検出することができる。
【０１４６】
組付角度判別手段として組付角度判別用治具６０を用いる場合にあっては、組付角度判別用治具６０が基体５１と基体５１から突出された判別ピン６２、６２、６２とから成る簡易な構成であるので、コストの高騰を来たすことなくカラーリング３１の誤組付を確実に検出することができる。また、組付角度判別用治具６０によるカラーリング３１の誤組付は判別ピン６２、６２、６２のカラーリング３１、３１、３１に対する挿入動作により行うことができるので、組付角度判別用治具６０を用いることによりカラーリング３１の誤組付の検出を容易に行うことができる。
【０１４７】
なお、上記の実施の形態及び他の形態では、接続端子ユニットにおけるカラーリングの誤組付の検出について、カラーリングが３個の場合の例を示したが、カラーリングの個数は３個に限られることはなく、本発明を適用することにより、カラーリングが任意の複数個の場合であってもカラーリングの誤組付を検出することができる。
【０１４８】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１４９】
【図１】テレビジョン受像機の概略斜視図である。
【図２】テレビジョン受像機の概略背面図である。
【図３】接続端子ユニット及びピンケーブルの斜視図である。
【図４】接続端子ユニットを一部分解して示す斜視図である。
【図５】接続端子ユニットにおけるカラーリングの挿入孔の大きさの相違を示す背面図である。
【図６】ピンケーブルのピンプラグを示す拡大断面図である。
【図７】サイズ判別用治具を示すものであり、上段は正面図、下段は平面図である。
【図８】正しい配列順序でカラーリングが組み付けられている場合において、挿入孔に判別ピンが挿入されている状態を示す拡大断面図である。
【図９】誤った配列順序でカラーリングが組み付けられている場合において、挿入孔に判別ピンが挿入されない状態を示す拡大断面図である。
【図１０】図１１及び図１２と共に他の形態を示すものであり、本図は接続端子ユニットの分解斜視図である。
【図１１】カラーリングの組付角度の相違を示す図及びカラーリングの断面図である。
【図１２】接続端子ユニット及び組付角度判別用治具を示すものであり、（Ａ）は正しい配列順序でカラーリングが組み付けられた状態を示す背面図であり、（Ｂ）は誤った配列順序でカラーリングが組み付けられた状態を示す背面図であり、（Ｃ）は組付角度判別用治具を示す背面図である。
【符号の説明】
【０１５０】
１…電子機器、２…機器本体、５…接続端子ユニット、６…取付ベース、
７…ピンジャック、８…絶縁筒体、９…接続端子片、１０…接地筒体、１０ａ…円筒部、
１１…カラーリング、１１ａ…挿入孔、５０…サイズ判別用治具、５１…基体、
５２…判別ピン、１０２…ピンプラグ、１０３…センターピン、１０４…アース電極、
【図１】
2012150919.tif 000003
【図２】
2012150919.tif 000004
【図３】
2012150919.tif 000005
【図４】
2012150919.tif 000006
【図５】
2012150919.tif 000007
【図６】
2012150919.tif 000008
【図７】
2012150919.tif 000009
【図８】
2012150919.tif 000010
【図９】
2012150919.tif 000011
【図１０】
2012150919.tif 000012
【図１１】
2012150919.tif 000013
【図１２】
2012150919.tif 000014